(57)【要約】【課題】ＯＳＰＦプロトコルが動作するネットワークシステムにおいて、ＯＳＰＦパケットを監視し、異常を検知し、改善案を提示する。【解決手段】ネットワーク監視装置ＮＭ１〜ＮＭ５の各々が、エリア境界ルータＡＢＲ及びＡＳ境界ルータＡＳＢＲが配信するＬＳＡ情報を配信サブネット情報として定期的に監視し、ＡＢＲ及びＡＳＢＲが配信するＬＳＡ情報数をＡＢＲ／ＡＳＢＲ情報として取得し、該配信サブネット情報と該ＡＢＲ／ＡＳＢＲ情報とを該統合監視装置に通知する。統合監視装置は、配信サブネット情報及びＡＢＲ／ＡＳＢＲ情報を各エリア単位に管理し、ＡＢＲ及びＡＳＢＲをマップ上に識別表示し、配信サブネット情報をユーザ操作に応じて表示する。更に、統合監視装置は、ネットワーク集約可能なサブネットを解析し表示する。【選択図】図１
2010109729.tif 000002
【特許請求の範囲】
【請求項１】
少なくとも一つのネットワーク監視装置と、該ネットワーク監視装置を統合的に監視する統合監視装置と、を備え、ＯＳＰＦユニキャストルーティングプロトコルが動作するネットワークシステムであって、該ネットワーク監視装置の各々が、
各ルータが送信するリンク状態更新パケット内のＬＳＡ情報を解析することにより、各エリア境界ルータ及び各ＡＳ境界ルータが配信するＬＳＡ情報を配信サブネット情報として定期的に監視する手段と、
所定の閾値を超過するＬＳＡ情報を配信するエリア境界ルータ及びＡＳ境界ルータを閾値超過情報として検出し、該閾値超過情報を含む、各エリア境界ルータ及び各ＡＳ境界ルータが配信するＬＳＡ情報数を、ＡＢＲ／ＡＳＢＲ情報として取得する手段と、
該配信サブネット情報と該ＡＢＲ／ＡＳＢＲ情報とを該統合監視装置に通知する手段と、
を具備し、該統合監視装置が、
該ネットワークシステムの構成をＧＵＩ上にマップとして表示する手段と、
該通知される配信サブネット情報及びＡＢＲ／ＡＳＢＲ情報を各エリア単位に管理し、該閾値超過情報を含め、各エリア境界ルータ及び各ＡＳ境界ルータを該マップ上に識別表示し、該識別表示されたエリア境界ルータ又はＡＳ境界ルータの配信サブネット情報をユーザ操作に応じて表示する手段と、
を具備するネットワークシステム。
【請求項２】
該統合監視装置が、各エリア境界ルータ及び各ＡＳ境界ルータの配信サブネット情報からネットワーク集約可能なサブネットを解析して表示する手段、を更に具備する、請求項１に記載のネットワークシステム。
【請求項３】
ＯＳＰＦユニキャストルーティングプロトコルが動作するネットワークシステムにおいて、統合監視装置によって統合的に監視されるネットワーク監視装置であって、
各ルータが送信するリンク状態更新パケット内のＬＳＡ情報を解析することにより、各エリア境界ルータ及び各ＡＳ境界ルータが配信するＬＳＡ情報を配信サブネット情報として定期的に監視する手段と、
所定の閾値を超過するＬＳＡ情報を配信するエリア境界ルータ及びＡＳ境界ルータを閾値超過情報として検出し、該閾値超過情報を含む、各エリア境界ルータ及び各ＡＳ境界ルータが配信するＬＳＡ情報数を、ＡＢＲ／ＡＳＢＲ情報として取得する手段と、
該配信サブネット情報と該ＡＢＲ／ＡＳＢＲ情報とを該統合監視装置に通知する手段と、
を具備するネットワーク監視装置。
【請求項４】
ＯＳＰＦユニキャストルーティングプロトコルが動作するネットワークシステムにおいて、少なくとも一つのネットワーク監視装置を統合的に監視する統合監視装置であって、
各エリア境界ルータ及び各ＡＳ境界ルータが配信するＬＳＡ情報である配信サブネット情報と、閾値超過情報を含む、各エリア境界ルータ及び各ＡＳ境界ルータが配信するＬＳＡ情報数であるＡＢＲ／ＡＳＢＲ情報と、を各ネットワーク監視装置からの通知として受信する手段と、
該ネットワークシステムの構成をＧＵＩ上にマップとして表示する手段と、
該通知される配信サブネット情報及びＡＢＲ／ＡＳＢＲ情報を各エリア単位に管理し、該閾値超過情報を含め、各エリア境界ルータ及び各ＡＳ境界ルータを該マップ上に識別表示し、該識別表示されたエリア境界ルータ又はＡＳ境界ルータの配信サブネット情報をユーザ操作に応じて表示する手段と、
を具備する統合監視装置。
【請求項５】
各エリア境界ルータ及び各ＡＳ境界ルータの配信サブネット情報からネットワーク集約可能なサブネットを解析して表示する手段、を更に具備する、請求項４に記載の統合監視装置。
【請求項６】
ＯＳＰＦユニキャストルーティングプロトコルが動作するネットワークシステムにおいて、少なくとも一つのネットワーク監視装置と、該ネットワーク監視装置を統合的に監視する統合監視装置と、を備え、ユニキャストルーティングパケットを監視する方法であって、
各ネットワーク監視装置が、各ルータが送信するリンク状態更新パケット内のＬＳＡ情報を解析することにより、各エリア境界ルータ及び各ＡＳ境界ルータが配信するＬＳＡ情報を配信サブネット情報として定期的に監視するステップと、
各ネットワーク監視装置が、所定の閾値を超過するＬＳＡ情報を配信するエリア境界ルータ及びＡＳ境界ルータを閾値超過情報として検出し、該閾値超過情報を含む、各エリア境界ルータ及び各ＡＳ境界ルータが配信するＬＳＡ情報数を、ＡＢＲ／ＡＳＢＲ情報として取得するステップと、
各ネットワーク監視装置が、該配信サブネット情報と該ＡＢＲ／ＡＳＢＲ情報とを該統合監視装置に通知するステップと、
該統合監視装置が、該ネットワークシステムの構成をＧＵＩ上にマップとして表示するステップと、
該統合監視装置が、該通知される配信サブネット情報及びＡＢＲ／ＡＳＢＲ情報を各エリア単位に管理し、該閾値超過情報を含め、各エリア境界ルータ及び各ＡＳ境界ルータを該マップ上に識別表示し、該識別表示されたエリア境界ルータ又はＡＳ境界ルータの配信サブネット情報をユーザ操作に応じて表示するステップと、
を具備する方法。
【請求項７】
該統合監視装置が、各エリア境界ルータ及び各ＡＳ境界ルータの配信サブネット情報からネットワーク集約可能なサブネットを解析して表示するステップ、を更に具備する、請求項６に記載の方法。
【発明の詳細な説明】
【技術分野】
【０００１】
本開示技術は、ＯＳＰＦ（Open Shortest Path First）ユニキャストルーティングプロトコルが動作するネットワークシステム、並びに、そのシステムに使用されるネットワーク監視装置及びそのネットワーク監視装置を統合的に監視する統合監視装置に関する。
【背景技術】
【０００２】
リンク状態型のルーティングプロトコルとして、ＲＦＣ（Request For Comments）２３２８で規定されるＯＳＰＦプロトコルが使用されている。ＯＳＰＦプロトコルは、エリアという概念を取り入れている。ＯＳＰＦで管理される自律システム（ＡＳ：Autonomous System）内には複数のエリアが存在することができるが、必ず一つのバックボーンエリアがなければならない。また、各エリアは、必ずバックボーンエリアに接続されていなければならない。エリアとバックボーンエリアとを結ぶルータは、エリア境界ルータ（ＡＢＲ：Area Border Router）と呼ばれる。また、ＡＳの外部と接続するルータは、ＡＳ境界ルータ（ＡＳＢＲ：Autonomous System Boundary Router）と呼ばれる。
【０００３】
ＯＳＰＦプロトコルには、複数のＬＳＡ（Link State Advertisement）情報を記述してフラッディングするためのリンク状態更新（Link State Update）パケットが用意されている。ＯＳＰＦネットワークでは、各ルータは、接続されたネットワークについての情報やインタフェースのコスト等の経路についての情報を含むＬＳＡを配信及び収集することにより、リンク状態データベース（ＬＳＤＢ：Link State Database）を作成し、ルーティングテーブルへの反映を行う。また、ＬＳＡ情報はＯＳＰＦの同一エリア内に存在するルータ間で同期されており、さらに、ＬＳＤＢは各エリアを含むＡＳ毎に管理されている。
【０００４】
ＯＳＰＦネットワークにおいて、配信されるＬＳＡ情報が増加すると、各ルータが持つＬＳＤＢの肥大化、それに伴うルーティングテーブルの肥大化が発生し、メモリ使用量、ＣＰＵ負荷等のルータ性能面での障害が引き起こされる。配信されるＬＳＡ情報を減少させる方法としては、ＯＳＰＦのエリア分割によるＬＳＤＢ管理範囲の分散や、ＡＢＲ又はＡＳＢＲにおけるＬＳＡ集約（Aggregation）によるＬＳＡ数の抑止、等が挙げられる。
【０００５】
特に、ＬＳＡ集約は、集約設定時における既存ネットワーク構成への影響が最小限に抑えられる場合が多いという点で、効果的である。しかし、ＬＳＡ集約を実施するために必要となる情報（ＯＳＰＦネットワークにおけるＬＳＡ情報）を把握する方法としては、ネットワーク内に存在するＯＳＰＦ稼働中のルータ（ネットワーク構成によっては複数ルータ）の内部ログの収集及び解析により確認する方法のみである。そのため、問題箇所の特定や解決策の決定に時間を要するという問題がある。
【０００６】
なお、本発明に関連する先行技術として、パッシブ測定を行うことにより、ネットワークのトポロジー情報、ルーティング情報、品質情報を取得し、これらを組み合わせることによって、ネットワーク上のボトルネックを推定する技術が知られている。また、時間間隔でネットワークから管理情報ベースデータを収集する工程、該収集データの時系列を構築する工程、該収集データの該時系列を分解する工程、エネルギプロットを該分解時系列に基づいて構築する工程、及び該エネルギプロットを解析してネットワーク異常イベントの徴候を判定する工程、を備えてネットワーク異常を検出する方法が知られている。
【０００７】
【特許文献１】特開２００４−０３２３７７号公報
【特許文献２】特開２００６−０６７５６９号公報
【発明の開示】
【発明が解決しようとする課題】
【０００８】
本開示技術は、上述した問題点に鑑みてなされたものであり、その目的は、ＯＳＰＦプロトコルが動作するネットワークシステムであって、ＯＳＰＦパケットを監視し、異常を検知し、改善案を提示することができるネットワークシステムを提供することにある。
【課題を解決するための手段】
【０００９】
上記目的を達成するために、本開示技術の一つの面によれば、少なくとも一つのネットワーク監視装置と、該ネットワーク監視装置を統合的に監視する統合監視装置と、を備え、ＯＳＰＦユニキャストルーティングプロトコルが動作するネットワークシステムであって、該ネットワーク監視装置の各々が、各ルータが送信するリンク状態更新パケット内のＬＳＡ情報を解析することにより、各エリア境界ルータ及び各ＡＳ境界ルータが配信するＬＳＡ情報を配信サブネット情報として定期的に監視する手段と、所定の閾値を超過するＬＳＡ情報を配信するエリア境界ルータ及びＡＳ境界ルータを閾値超過情報として検出し、該閾値超過情報を含む、各エリア境界ルータ及び各ＡＳ境界ルータが配信するＬＳＡ情報数を、ＡＢＲ／ＡＳＢＲ情報として取得する手段と、該配信サブネット情報と該ＡＢＲ／ＡＳＢＲ情報とを該統合監視装置に通知する手段と、を具備し、該統合監視装置が、該ネットワークシステムの構成をＧＵＩ上にマップとして表示する手段と、該通知される配信サブネット情報及びＡＢＲ／ＡＳＢＲ情報を各エリア単位に管理し、該閾値超過情報を含め、各エリア境界ルータ及び各ＡＳ境界ルータを該マップ上に識別表示し、該識別表示されたエリア境界ルータ又はＡＳ境界ルータの配信サブネット情報をユーザ操作に応じて表示する手段と、を具備するネットワークシステムが提供される。
【００１０】
一つの好適な態様では、該統合監視装置が、各エリア境界ルータ及び各ＡＳ境界ルータの配信サブネット情報からネットワーク集約可能なサブネットを解析して表示する手段、を更に具備する。
【００１１】
さらに、本開示技術の他の面によれば、上述のシステムで使用されるネットワーク監視装置及び統合監視装置並びに上述のシステムで実行される方法が提供される。
【発明の効果】
【００１２】
開示のネットワークシステムによれば、ＯＳＰＦネットワークにおいて、エリア境界ルータ（ＡＢＲ）又はＡＳ境界ルータ（ＡＳＢＲ）として動作している各ルータが容易に把握可能となるため、ＯＳＰＦエリアへの分割の設計やネットワーク集約箇所となるルータの特定が容易になる。また、ＡＢＲ又はＡＳＢＲの各ルータが配信するＬＳＡ経路情報を容易に把握することが可能となるため、ネットワーク規模の把握、本来配信されるべきでないサブネット情報の検知、等を容易に行うことが可能となる。
【００１３】
さらに、各ルータのＬＳＡ情報から集約可能なネットワーク情報を提示することで、ＬＳＡ配信数を減少させて各ルータにおけるルーティングテーブルの肥大化を防止することが可能となる。その結果、各ルータにおけるメモリ使用量の低減やＣＰＵ負荷の低減が容易に実現される。
【発明を実施するための最良の形態】
【００１４】
以下、添付図面を参照して本開示技術の実施形態について説明する。図１は、本開示技術が適用されるネットワークの構成例を示す図である。図１に示されるネットワークは、ＯＳＰＦユニキャストルーティングプロトコルが動作するＩＰネットワークであり、複数のネットワークＮ１、Ｎ２、Ｎ３、Ｎ４、Ｎ５及びＮ６を含む。ネットワークＮ１には、複数のルータＲ１−１、Ｒ１−２、Ｒ１−３、Ｒ１−４、及びＲ１−５が接続されている。図１に示されるように、ネットワークＮ２、Ｎ３、Ｎ４、Ｎ５及びＮ６の各々にも、同様に複数のルータが接続されている。
【００１５】
また、ルータＲ１−４、Ｒ２−５及びＲ３−２は、それぞれ、カメラ機構を備える端末装置１０２、１０４及び１０６のファーストホップルータ（ＦＨＲ：First Hop Router）となっている。また、ルータＲ４−２に接続されたモニタ端末機器１１０のように、適宜にモニタ端末機器が配置されている。また、ルータＲ１−４、Ｒ１−５、Ｒ３−２、及びＲ３−３の各々は、エリア境界ルータ（ＡＢＲ）となっている。さらに、ルータＲ２−４は、ＡＳ境界ルータ（ＡＳＢＲ）となっている。
【００１６】
ルータＲ１−５とルータＲ２−２との間には、ネットワーク監視装置ＮＭ１が設けられている。同様に、ネットワーク監視装置ＮＭ２、ＮＭ３、ＮＭ４、及びＮＭ５の各々が、二つのルータ間に配置されている。また、ルータＲ１−２には、それらのネットワーク監視装置ＮＭ１〜ＮＭ５を統合的に監視する統合監視装置としてのマネージャ装置１００が接続されている。
【００１７】
図２は、本開示技術の一実施形態に係るネットワークシステムの構成を示す図である。図２に示されるネットワーク構成は、図１に示されるネットワーク構成に略対応したものとなっている。ただし、図１に示される複数のネットワークＮ１、Ｎ２、Ｎ３、Ｎ４、Ｎ５及びＮ６は、図２においては、それぞれ、本局、Ａ事務所、Ｂ事務所、Ｃ事務所、Ｄ事務所、及びＥ事務所の各ネットワークとして示されている。また、ルータの名称が、レイヤ３スイッチを意味する“L3SW”を用いたものに変更されている。また、エリア境界ルータ（ＡＢＲ）及びＡＳ境界ルータ（ＡＳＢＲ）も変更されている。また、符号２０２及び２０４は、カメラ機構を備える端末装置である。
【００１８】
図３は、本開示技術の一実施形態に係るネットワーク監視装置の機能構成を示す図である。また、図４は、ネットワーク監視装置における各種のテーブルを示す図である。ネットワーク監視装置は、プロセッサ、メモリ、インタフェース機構等を備えるコンピュータシステムとして実装される。そして、メモリに格納されたプログラムに従ってプロセッサが動作することにより、図３に示される機能が実現される。以下の説明では、図２において L3SW_103 と L3SW_201 との間に配置されたネットワーク監視装置ＮＭ１を例にして、その機能構成が説明される。
【００１９】
ネットワーク監視装置ＮＭ１は、L3SW_103 と L3SW_201 との間を流れるＩＰ（Internet Protocol）パケットをインタフェースＩＦ＃１又はＩＦ＃２より受信する。そして、データ送受信部３０２は、受信データの解析を行い、所定のデータをＯＳＰＦルーティング情報格納部３０４に格納する。その後、データ送受信部３０２は、受信した側のインタフェースと反対の側のインタフェースにパケットを転送する（例えば、ＩＦ＃１から受信した場合にはＩＦ＃２に転送する）。
【００２０】
ところで、リンク状態更新（Link State Update）パケット内のＬＳＡ（Link State Advertisement）には、いくつかのタイプがある。タイプ３のＬＳＡは、ネットワークサマリＬＳＡ（Network-Summary-LSA）と呼ばれる。ネットワークサマリＬＳＡは、リンク状態ＩＤ（Link State ID）フィールドにエリア間経路のネットワークアドレス、広告元ルータ（Advertising Router）フィールドにエリア境界ルータ（ＡＢＲ）のルータＩＤ、ネットワークマスク（Network Mask）フィールドにエリア間経路のサブネットマスク、を含む。
【００２１】
また、タイプ５のＬＳＡは、ＡＳ外部ＬＳＡ（AS-External-LSA）と呼ばれる。ＡＳ外部ＬＳＡは、リンク状態ＩＤ（Link State ID）フィールドに外部経路のネットワークアドレス、広告元ルータ（Advertising Router）フィールドにＡＳ境界ルータ（ＡＳＢＲ）のルータＩＤ、ネットワークマスク（Network Mask）フィールドに外部経路のサブネットマスク、を含む。さらに、タイプ７のＬＳＡも、タイプ５のＬＳＡと同様の情報を含む。
【００２２】
データ送受信部３０２は、タイプ３、タイプ５及びタイプ７の各ＬＳＡ情報を収集して解析することにより、図４に示される配信サブネット情報のテーブルをＯＳＰＦルーティング情報格納部３０４に作成する。すなわち、このテーブルは、ＬＳＡ種別、サブネット情報、マスク情報、及び広告元ルータＩＤを集積したものである。
【００２３】
一方、ネットワーク監視装置は、マネージャ装置１００から、エリア境界ルータ（ＡＢＲ）又はＡＳ境界ルータ（ＡＳＢＲ）となるルータ毎のＬＳＡ数閾値情報をインタフェースＩＦ＃３より受信する。そして、データ送受信部３０２は、図４に示される閾値情報のテーブルをＯＳＰＦ−ＬＳＡ閾値情報格納部３０６に構築し、受信情報を登録する。マネージャ通信部３０８は、レスポンス情報をＩＦ＃３からマネージャ装置１００に送信する。
【００２４】
次いで、ＯＳＰＦルーティング情報解析部３１０は、配信サブネット情報のテーブルと閾値情報のテーブルとに基づいて、図４に示されるＡＢＲ／ＡＳＢＲ情報のテーブルを作成して、ＡＢＲ／ＡＳＢＲ情報格納部３１２に格納する。このテーブルは、配信サブネット情報のテーブルより求められた、ルータＩＤ毎のルータ種別及びＬＳＡ数を含む。そのＬＳＡ数は、ネットワークサマリＬＳＡ数、ＡＳ外部ＬＳＡ数（タイプ７の数も含む）、及びそれらの合計値を含む。
【００２５】
更に、このＡＢＲ／ＡＳＢＲ情報のテーブルは、そのＬＳＡ数（合計値）と、対応するルータＩＤに対する閾値と、を比較した結果である閾値超過情報も含む。そして、データ送受信部３０２は、リンク状態更新（Link State Update）パケットの受信による情報の更新をトリガとして、図４に示される配信サブネット情報及びＡＢＲ／ＡＳＢＲ情報をマネージャ装置に送信する。
【００２６】
図５は、マネージャ装置におけるＧＵＩ（Graphical User Interface）表示画面を示す図である。マネージャ装置は、各ネットワーク監視装置とＩＰ通信可能な統合監視装置であり、プロセッサ、メモリ、ディスプレイ、インタフェース機構等を備えるコンピュータシステムとして実装される。そして、メモリに格納されたプログラムに従ってプロセッサが動作することにより、統合監視機能が実現される。ユーザは、マネージャ装置に対して、各ルータのＩＰアドレスやネットワーク構成を登録することができ、マネージャ装置は、図５のようなＩＰネットワーク構成図をＧＵＩ上で表示することができる。
【００２７】
各ネットワーク監視装置の監視範囲については、各自律システム（ＡＳ）の一つのＯＳＰＦエリアに対し１台のネットワーク監視装置が必須とされる。ＡＳ番号及びＯＳＰＦエリアＩＤが各ネットワーク監視装置とマネージャ装置との間で共有され、エリアとネットワーク監視装置との対応関係の特定が可能となっている。マネージャ装置は、前述のようにネットワーク監視装置からＩＰ通信により通知される配信サブネット情報及びＡＢＲ／ＡＳＢＲ情報を、該当ルータＩＤ単位つまりＡＳ番号及びエリア番号の単位で管理する。
【００２８】
そして、マネージャ装置は、ＡＢＲ／ＡＳＢＲ情報から、エリア境界ルータ（ＡＢＲ）又はＡＳ境界ルータ（ＡＳＢＲ）のルータＩＤに対応したＧＵＩ上のルータ機器に“ＡＢＲ”又は“ＡＳＢＲ”なる識別情報を付与する。例えば、図５に示されるように、エリア境界ルータ（ＡＢＲ）のルータＩＤに該当するルータ機器 L3SW_103 及び L3SW_104 に“ＡＢＲ”識別情報が追加表示される。また、ＡＳ境界ルータ（ＡＳＢＲ）のルータＩＤに該当するルータ機器 L3SW_204、L3SW_302、及び L3SW_303 に“ＡＳＢＲ”識別情報が追加表示される。
【００２９】
図６は、マネージャ装置におけるエリア境界ルータ詳細情報画面を示す図である。図５に示される“ＡＢＲ”又は“ＡＳＢＲ”なる識別情報をユーザがクリックすると、マネージャ装置は、図６に示されるように、エリア境界ルータ（ＡＢＲ）又はＡＳ境界ルータ（ＡＳＢＲ）が配信している配信サブネット情報を示す「配信サブネット一覧」をＧＵＩ上に表示する。また、この「配信サブネット一覧」により、マネージャ装置は、ＬＳＡ数閾値情報（つまり、ＯＳＰＦエリア毎でのＬＳＡ数の配信上限値）をユーザがＧＵＩ上で設定するのを可能にしている。このＬＳＡ数閾値情報は、前述のように、マネージャ装置からネットワーク監視装置へ通知される。
【００３０】
また、この「配信サブネット一覧」画面の「詳細」欄に設けられた「表示」ボタンをユーザが押下すると、マネージャ装置は、図６に示される「配信サブネット詳細」画面を表示する。マネージャ装置は、配信サブネット情報より、ネットワークサブネット情報の集約可能（統合可能）なＬＳＡ情報を判断することができる。マネージャ装置は、図６に示されるように、「配信サブネット詳細」に「ルート集約例」を提示する。集約のアルゴリズムについては後述する。
【００３１】
図７は、マネージャ装置における閾値超過ＬＳＡ配信ルータ詳細情報画面を示す図である。前述のように、ネットワーク監視装置は、ＬＳＡ閾値数を超過したＬＳＡを管理しているエリアを検出した場合、ＡＢＲ／ＡＳＢＲ情報に超過情報を付与してマネージャ装置へ通知する。マネージャ装置は、ＡＢＲ／ＡＳＢＲ情報に基づいて、閾値超過状態となっているルータを識別することができる。
【００３２】
マネージャ装置は、図７に示されるように、閾値超過状態にあるルータのＩＰアドレスに対応したＧＵＩ上のルータ機器に、異常識別情報を付与する。図７の例では、ルータ L3SW_103 に異常アイコン７０２が付与されている。ユーザがＧＵＩ上で異常アイコン７０２をクリックすることにより異常識別情報を選択すると、マネージャ装置は、図７に示されるように、閾値超過ＬＳＡ配信ルータについての詳細情報を表示することにより、ユーザに確認させる。この情報は、発生日時、ルータＩＤ、エリアＩＤ、閾値、及びサブネット配信数を含む。
【００３３】
図８は、マネージャ装置における集約例算出アルゴリズムを示すフローチャートである。経路集約つまりＬＳＡ数の集約は、サブネット情報を有するタイプ３及びタイプ５（タイプ７を含む）のＬＳＡに対して実施することができる。タイプ３のＬＳＡに関しては、エリア境界ルータ（ＡＢＲ）が管理するＬＳＡに対して集約設定が可能である。タイプ５のＬＳＡに関しては、ＡＳ境界ルータ（ＡＳＢＲ）が管理するＬＳＡに対して集約設定が可能である。集約は、ＯＳＰＦのエリア間又はＡＳ間でのＬＳＡ配布時に行われることとなる。
【００３４】
マネージャ装置は、マネージャ装置において管理されるＡＢＲ／ＡＳＢＲ情報及び配信サブネット情報から、ネットワーク集約可能なサブネットを集約例として算出する。以下にタイプ３のＬＳＡを使用した場合を例にしてアルゴリズムを説明する。
【００３５】
まず、マネージャ装置は、図４に示される配信サブネット情報から、集約の対象ルータの対象エリアと非対象ルータとの各々について、サブネット情報とマスク情報とを取得する（ステップ８０２）。これらの情報は「集約アドレス情報」とされ、その取得の例が図９に示されている。
【００３６】
次いで、マネージャ装置は、対象ルータについての集約アドレス情報の一つにおいて、マスク情報のマスク幅を１ビットだけ広げ、その広げたマスク情報とサブネット情報とのＡＮＤ演算により集約サブネット情報を算出する（ステップ８０４）。その算出の例が図１０に示されている。
【００３７】
次いで、マネージャ装置は、集約サブネット情報に包含されるサブネット情報が対象ルータの対象エリアの集約アドレス情報内に存在する否かを検索する（ステップ８０６）。その検索の例が図１１に示されている。
【００３８】
集約サブネット情報に包含されるサブネット情報が対象ルータの対象エリアの集約アドレス情報内に存在する場合、マネージャ装置は、集約サブネット情報に包含されるサブネット情報が非対象ルータの集約アドレス情報内に存在する否かを検索する（ステップ８０８）。
【００３９】
図１２に例示されるように、集約サブネット情報に包含されるサブネット情報が非対象ルータの集約アドレス情報内に存在しない場合、マネージャ装置は、ステップ８０４に戻。そして、マネージャ装置は、マスク情報のマスク幅を更に１ビットだけ広げることで更なる集約サブネット情報を取得する処理を継続する。
【００４０】
一方、図１３に例示されるように、集約サブネット情報に包含されるサブネット情報が非対象ルータの集約アドレス情報内に存在する場合には、非対象ルータに係るサブネットまで集約してしまうことになる。そこで、マネージャ装置は、一つ前のマスク幅つまり１ビット広げる前のマスク幅までの集約サブネット情報を集約例とし、集約例の検索を終了する（ステップ８１０）。そして、マネージャ装置は、次のサブネット情報に対する集約例の検索を実施する。
【００４１】
ステップ８０６において、集約サブネット情報に包含されるサブネット情報が対象ルータの対象エリアの集約アドレス情報内に存在しない場合、マネージャ装置は、既に集約サブネット情報を取得している否かを判定する（ステップ８１２）。未だ集約サブネット情報が取得されていない場合、マネージャ装置はステップ８０４に戻って処理を続ける。一方、既に集約サブネット情報が取得されている場合、マネージャ装置はその集約サブネット情報を集約例とし、集約例の検索を終了する（ステップ８１４）。そして、マネージャ装置は、次のサブネット情報に対する集約例の検索を実施する。
【００４２】
以上の実施形態に関し、以下の付記を開示する。
【００４３】
（付記１）  少なくとも一つのネットワーク監視装置と、該ネットワーク監視装置を統合的に監視する統合監視装置と、を備え、ＯＳＰＦユニキャストルーティングプロトコルが動作するネットワークシステムであって、該ネットワーク監視装置の各々が、
各ルータが送信するリンク状態更新パケット内のＬＳＡ情報を解析することにより、各エリア境界ルータ及び各ＡＳ境界ルータが配信するＬＳＡ情報を配信サブネット情報として定期的に監視する手段と、
所定の閾値を超過するＬＳＡ情報を配信するエリア境界ルータ及びＡＳ境界ルータを閾値超過情報として検出し、該閾値超過情報を含む、各エリア境界ルータ及び各ＡＳ境界ルータが配信するＬＳＡ情報数を、ＡＢＲ／ＡＳＢＲ情報として取得する手段と、
該配信サブネット情報と該ＡＢＲ／ＡＳＢＲ情報とを該統合監視装置に通知する手段と、
を具備し、該統合監視装置が、
該ネットワークシステムの構成をＧＵＩ上にマップとして表示する手段と、
該通知される配信サブネット情報及びＡＢＲ／ＡＳＢＲ情報を各エリア単位に管理し、該閾値超過情報を含め、各エリア境界ルータ及び各ＡＳ境界ルータを該マップ上に識別表示し、該識別表示されたエリア境界ルータ又はＡＳ境界ルータの配信サブネット情報をユーザ操作に応じて表示する手段と、
を具備するネットワークシステム。
【００４４】
（付記２）  該統合監視装置が、各エリア境界ルータ及び各ＡＳ境界ルータの配信サブネット情報からネットワーク集約可能なサブネットを解析して表示する手段、を更に具備する、付記１に記載のネットワークシステム。
【００４５】
（付記３）  ＯＳＰＦユニキャストルーティングプロトコルが動作するネットワークシステムにおいて、統合監視装置によって統合的に監視されるネットワーク監視装置であって、
各ルータが送信するリンク状態更新パケット内のＬＳＡ情報を解析することにより、各エリア境界ルータ及び各ＡＳ境界ルータが配信するＬＳＡ情報を配信サブネット情報として定期的に監視する手段と、
所定の閾値を超過するＬＳＡ情報を配信するエリア境界ルータ及びＡＳ境界ルータを閾値超過情報として検出し、該閾値超過情報を含む、各エリア境界ルータ及び各ＡＳ境界ルータが配信するＬＳＡ情報数を、ＡＢＲ／ＡＳＢＲ情報として取得する手段と、
該配信サブネット情報と該ＡＢＲ／ＡＳＢＲ情報とを該統合監視装置に通知する手段と、
を具備するネットワーク監視装置。
【００４６】
（付記４）  ＯＳＰＦユニキャストルーティングプロトコルが動作するネットワークシステムにおいて、少なくとも一つのネットワーク監視装置を統合的に監視する統合監視装置であって、
各エリア境界ルータ及び各ＡＳ境界ルータが配信するＬＳＡ情報である配信サブネット情報と、閾値超過情報を含む、各エリア境界ルータ及び各ＡＳ境界ルータが配信するＬＳＡ情報数であるＡＢＲ／ＡＳＢＲ情報と、を各ネットワーク監視装置からの通知として受信する手段と、
該ネットワークシステムの構成をＧＵＩ上にマップとして表示する手段と、
該通知される配信サブネット情報及びＡＢＲ／ＡＳＢＲ情報を各エリア単位に管理し、該閾値超過情報を含め、各エリア境界ルータ及び各ＡＳ境界ルータを該マップ上に識別表示し、該識別表示されたエリア境界ルータ又はＡＳ境界ルータの配信サブネット情報をユーザ操作に応じて表示する手段と、
を具備する統合監視装置。
【００４７】
（付記５）  各エリア境界ルータ及び各ＡＳ境界ルータの配信サブネット情報からネットワーク集約可能なサブネットを解析して表示する手段、を更に具備する、付記４に記載の統合監視装置。
【００４８】
（付記６）  ＯＳＰＦユニキャストルーティングプロトコルが動作するネットワークシステムにおいて、少なくとも一つのネットワーク監視装置と、該ネットワーク監視装置を統合的に監視する統合監視装置と、を備え、ユニキャストルーティングパケットを監視する方法であって、
各ネットワーク監視装置が、各ルータが送信するリンク状態更新パケット内のＬＳＡ情報を解析することにより、各エリア境界ルータ及び各ＡＳ境界ルータが配信するＬＳＡ情報を配信サブネット情報として定期的に監視するステップと、
各ネットワーク監視装置が、所定の閾値を超過するＬＳＡ情報を配信するエリア境界ルータ及びＡＳ境界ルータを閾値超過情報として検出し、該閾値超過情報を含む、各エリア境界ルータ及び各ＡＳ境界ルータが配信するＬＳＡ情報数を、ＡＢＲ／ＡＳＢＲ情報として取得するステップと、
各ネットワーク監視装置が、該配信サブネット情報と該ＡＢＲ／ＡＳＢＲ情報とを該統合監視装置に通知するステップと、
該統合監視装置が、該ネットワークシステムの構成をＧＵＩ上にマップとして表示するステップと、
該統合監視装置が、該通知される配信サブネット情報及びＡＢＲ／ＡＳＢＲ情報を各エリア単位に管理し、該閾値超過情報を含め、各エリア境界ルータ及び各ＡＳ境界ルータを該マップ上に識別表示し、該識別表示されたエリア境界ルータ又はＡＳ境界ルータの配信サブネット情報をユーザ操作に応じて表示するステップと、
を具備する方法。
【００４９】
（付記７）  該統合監視装置が、各エリア境界ルータ及び各ＡＳ境界ルータの配信サブネット情報からネットワーク集約可能なサブネットを解析して表示するステップ、を更に具備する、付記６に記載の方法。
【００５０】
（付記８）  ＯＳＰＦユニキャストルーティングプロトコルが動作するネットワークシステムにおいて、統合監視装置によって統合的に監視されるネットワーク監視装置としてコンピュータを機能させるためのプログラムであって、該コンピュータに、
各ルータが送信するリンク状態更新パケット内のＬＳＡ情報を解析することにより、各エリア境界ルータ及び各ＡＳ境界ルータが配信するＬＳＡ情報を配信サブネット情報として定期的に監視するステップと、
所定の閾値を超過するＬＳＡ情報を配信するエリア境界ルータ及びＡＳ境界ルータを閾値超過情報として検出し、該閾値超過情報を含む、各エリア境界ルータ及び各ＡＳ境界ルータが配信するＬＳＡ情報数を、ＡＢＲ／ＡＳＢＲ情報として取得するステップと、
該配信サブネット情報と該ＡＢＲ／ＡＳＢＲ情報とを該統合監視装置に通知するステップと、
を実行させるためのプログラム。
【００５１】
（付記９）  ＯＳＰＦユニキャストルーティングプロトコルが動作するネットワークシステムにおいて、少なくとも一つのネットワーク監視装置を統合的に監視する統合監視装置としてコンピュータを機能させるためのプログラムであって、該コンピュータに、
各エリア境界ルータ及び各ＡＳ境界ルータが配信するＬＳＡ情報である配信サブネット情報と、閾値超過情報を含む、各エリア境界ルータ及び各ＡＳ境界ルータが配信するＬＳＡ情報数であるＡＢＲ／ＡＳＢＲ情報と、を各ネットワーク監視装置からの通知として受信するステップと、
該ネットワークシステムの構成をＧＵＩ上にマップとして表示するステップと、
該通知される配信サブネット情報及びＡＢＲ／ＡＳＢＲ情報を各エリア単位に管理し、該閾値超過情報を含め、各エリア境界ルータ及び各ＡＳ境界ルータを該マップ上に識別表示し、該識別表示されたエリア境界ルータ又はＡＳ境界ルータの配信サブネット情報をユーザ操作に応じて表示するステップと、
を実行させるためのプログラム。
【００５２】
（付記１０）  各エリア境界ルータ及び各ＡＳ境界ルータの配信サブネット情報からネットワーク集約可能なサブネットを解析して表示するステップ、を更に該コンピュータに実行させる、付記９に記載のプログラム。
【図面の簡単な説明】
【００５３】
【図１】本開示技術が適用されるネットワークの構成例を示す図である。
【図２】本開示技術の一実施形態に係るネットワークシステムの構成を示す図である。
【図３】本開示技術の一実施形態に係るネットワーク監視装置の機能構成を示す図である。
【図４】ネットワーク監視装置における各種のテーブルを示す図である。
【図５】マネージャ装置におけるＧＵＩ表示画面を示す図である。
【図６】マネージャ装置におけるエリア境界ルータ詳細情報画面を示す図である。
【図７】マネージャ装置における閾値超過ＬＳＡ配信ルータ詳細情報画面を示す図である。
【図８】マネージャ装置における集約例算出アルゴリズムを示すフローチャートである。
【図９】マネージャ装置における集約アドレス情報の取得を例示する図である。
【図１０】マネージャ装置における集約サブネット情報の算出を例示する図である。
【図１１】マネージャ装置において集約サブネット情報を対象ルータのアドレス情報内にて検索する例を示す図である。
【図１２】マネージャ装置において集約サブネット情報を非対象ルータのアドレス情報内にて検索する第一の例を示す図である。
【図１３】マネージャ装置において集約サブネット情報を非対象ルータのアドレス情報内にて検索する第二の例を示す図である。
【符号の説明】
【００５４】
Ｎ１〜Ｎ６    ネットワーク
Ｒ１−１〜Ｒ６−３    ルータ
ＮＭ１〜ＮＭ５    ネットワーク監視装置
１００    マネージャ装置（統合監視装置）
１０２、１０４、１０６    端末装置
１１０    モニタ端末機器
２０２、２０４    端末装置
３０２    データ送受信部
３０４    ＯＳＰＦルーティング情報格納部
３０６    ＯＳＰＦ−ＬＳＡ閾値情報格納部
３０８    マネージャ通信部
３１０    ＯＳＰＦルーティング情報解析部
３１２    ＡＢＲ／ＡＳＢＲ情報格納部
７０２    異常アイコン
【図１】
2010109729.tif 000003
【図２】
2010109729.tif 000004
【図３】
2010109729.tif 000005
【図４】
2010109729.tif 000006
【図５】
2010109729.tif 000007
【図６】
2010109729.tif 000008
【図７】
2010109729.tif 000009
【図８】
2010109729.tif 000010
【図９】
2010109729.tif 000011
【図１０】
2010109729.tif 000012
【図１１】
2010109729.tif 000013
【図１２】
2010109729.tif 000014
【図１３】
2010109729.tif 000015